【手続補正書】
【提出日】平成18年5月18日(2006.5.18)
【手続補正１】
【補正対象書類名】特許請求の範囲
【補正対象項目名】全文
【補正方法】変更
【補正の内容】
【特許請求の範囲】
【請求項１】
ピクセルのアレイを備え、各ピクセルはピクセル素子を含むと共にスイッチング回路に関連づけられ、前記スイッチング回路は少なくとも２つの入力端のうちの１つを前記ピクセル素子に選択的にルート指定するために設けられ、前記少なくとも２つの入力端のそれぞれと前記ピクセル素子との間に接続された少なくとも第１および第２トランジスタを備え、各スイッチングトランジスタはトランジスタのゲートに印加されるデータ信号によって制御され、各スイッチングトランジスタ用のデータ信号は前記入力端の少なくとも１つのデータ波形に応じて決定される所定のタイミングで前記スイッチングトランジスタのゲートにルート指定され、さらに前記スイッチングトランジスタの少なくとも１つのゲートと前記スイッチングトランジスタの出力端との間に容量性結合部が設けられている、ピクセルのアレイを備えた装置。
【請求項２】
各スイッチングトランジスタ用のデータ信号が各スイッチングトランジスタ用のデータ信号を印加するタイミングを制御する転送スイッチによって前記スイッチングトランジスタのゲートにルート指定され、各スイッチングトランジスタのゲートと各スイッチングトランジスタの出力端との間に容量性結合部が設けられている、請求項１に記載の装置。
【請求項３】
各スイッチングトランジスタのゲートと前記スイッチング回路の出力端との間に容量性結合部が設けられている、請求項２に記載の装置。
【請求項４】
前記第１および第２スイッチングトランジスタのゲートが共通に接続され、前記容量性結合部が前記ゲートと前記スイッチング回路の出力端との間に接続されたキャパシタを備えている、請求項１ないし３のいずれか１項に記載の装置。
【請求項５】
前記第１スイッチングトランジスタがｎ形トランジスタであり、前記第２スイッチングトランジスタがｐ形トランジスタである、請求項４に記載の装置。
【請求項６】
前記容量性結合部が各スイッチングトランジスタのゲートと前記スイッチング回路の出力端との間にそれぞれ接続されたキャパシタを備えている、請求項１ないし３のいずれか１項に記載の装置。
【請求項７】
ｎを２より大きいものとしてｎ個の入力端を備えると共に、ｎ個の入力端のそれぞれと前記ピクセル素子との間に接続された第１ないし第ｎスイッチングトランジスタを備え、各スイッチングトランジスタ用のデータ信号は前記スイッチングトランジスタのそれぞれが個々に各入力端を前記ピクセル素子にルート指定するためにターンオンされるように選択される、請求項６に記載の装置。
【請求項８】
前記スイッチングトランジスタの少なくとも１つがｎ形であり、前記スイッチングトランジスタの少なくとも１つがｐ形である、請求項７に記載の装置。
【請求項９】
すべてのスイッチングトランジスタが同じ極性の形である、請求項７に記載の装置。
【請求項１０】
ｎ個の入力端を備えると共に、前記ｎ個の入力端のそれぞれと２つの中間出力端との間に分配して接続された第１ないし第ｎスイッチングトランジスタを備え、選択された第１入力端を一方の中間出力端にルート指定し、かつ選択された第２入力端を他方の中間出力端にルート指定するために前記スイッチングトランジスタの半分がターンオンされるように各スイッチングトランジスタ用のデータ信号が選択される、請求項６に記載の装置。
【請求項１１】
前記中間出力端の一方を前記ピクセル素子に選択的にルート指定するためのスイッチング回路をさらに備えている、請求項１０に記載の装置。
【請求項１２】
複数のピクセル素子がそれぞれ液晶セルを持っているアクティブマトリクス液晶ディスプレイ装置を備え、各ピクセルが２つの電圧駆動レベルの一方を前記ピクセル素子にルート指定するためのスイッチング回路を備えている、請求項１ないし５のいずれか１項に記載の装置。
【請求項１３】
前記スイッチング回路の共通出力端と前記ピクセルの液晶セルとの間に設けられた第１選択スイッチと、
アナログピクセルデータラインと前記ピクセルの液晶セルとの間に設けられた第２選択スイッチと、
をさらに備えている、請求項１２に記載の装置。
【請求項１４】
前記２つの電圧駆動レベルが前記液晶セルを黒および白の状態に駆動するための電圧を有する、請求項１３に記載の装置。
【請求項１５】
前記２つの電圧駆動レベルの一方を前記ピクセル素子にルート指定するように選択するための制御信号がアナログピクセルデータラインに供給される、請求項１３または１４に記載の装置。
【請求項１６】
各スイッチングトランジスタ用のデータ信号が各スイッチングトランジスタ用のデータ信号を印加するタイミングを制御する転送スイッチによって前記スイッチングトランジスタのゲートにルート指定され、各スイッチングトランジスタのゲートと各スイッチングトランジスタの出力端との間に容量性結合部が設けられ、さらに前記転送スイッチは前記アナログピクセルデータラインと前記第１および第２スイッチングトランジスタのゲートとの間に設けられている、請求項１５に記載の装置。
【請求項１７】
前記スイッチング回路の少なくとも１つの出力端と前記ピクセルの液晶セルとの間に設けられた第１選択スイッチと、
アナログピクセルデータラインと前記ピクセルの液晶セルとの間に設けられた第２選択スイッチと、
をさらに備えている請求項１２に記載の装置。
【請求項１８】
前記第２選択スイッチが前記第１および第２スイッチングトランジスタの一方を形成する、請求項１７に記載の装置。
【請求項１９】
第１モードにおいて、前記第２選択スイッチが前記アナログピクセルデータラインから２つのディジタルピクセル信号のうちの一方を前記液晶セルに供給し、第２モードにおいて、前記第２選択スイッチが前記アナログピクセルデータラインからアナログピクセル信号を前記液晶セルに供給する、請求項１８に記載の装置。
【請求項２０】
ピクセルのアレイを備えた装置のピクセル内のピクセル素子に少なくとも２つの入力端の一方をルート指定する方法において、
少なくとも２つの入力端のそれぞれと前記ピクセル素子との間に接続された少なくとも第１および第２スイッチングトランジスタのゲートにデータ信号を印加して、前記第１および第２スイッチングトランジスタのうちの選択された一方をターンオンし、前記第１および第２スイッチングトランジスタのうちの他方をターンオフし、それによって前記各入力端を前記ピクセル素子にルート指定するステップを備え、その場合、
前記データ信号を印加するタイミングが前記２つの入力端のうちの少なくとも一方の信号に応じて選択され、
少なくとも１つのスイッチングトランジスタのゲートと前記スイッチングトランジスタの出力端との間に容量性結合部が設けられ、
前記容量性結合部がスイッチングトランジスタをターンオンおよびターンオフするのに必要なデータ信号に必要とされる電圧変化幅を減少させるように前記タイミングが制御される、
ピクセルのアレイを備えた装置のピクセル内のピクセル素子に少なくとも２つの入力端の一方をルート指定する方法。
【請求項２１】
第１モードにおいて、前記ディスプレイの各ピクセルにアナログピクセル駆動信号をスイッチングし、
第２モードにおいて、２つのピクセル駆動信号のうちの一方を前記ディスプレイの各ピクセルにルート指定する
ステップを備え、前記ルート指定は前記第２モードにおいて各ピクセルに対して請求項２０に記載の方法を用いる、
液晶ディスプレイを駆動する方法。